(57)【要約】  【課題】  規定量を正確に流路に流すことができる検査対象受体、分取装置、分取方法、検査装置、プログラム、及び記憶媒体を提供すること。  【解決手段】  検査対象受体３は、上方が開口した断面が略長方形の溝である検査パターン構成部２５等を備える。検査パターン構成部２５の一部である導入部２５ａに供給された検査対象は、そのうちの一定量が、突起を多数配置して成る保持部２５ｇに、毛細管現象により吸収される。保持部２５ｇに保持された検査対象は、検査対象受体３を回転させて生じる遠心力により、外周側に送り出され、突起を多数配列して成る検査部２５ｈ至る。検査部２５ｈには予め抗体を固定しておき、検査対象と反応させる。【選択図】  図２
2006208183.tif 000002
【特許請求の範囲】
【請求項１】
液状の検査対象を検査する用途に用いられる検査対象受体であって、
前記検査対象を一定の経路を経て移動させる流路と、
複数の突起部を、当該突起部の間に前記検査対象が毛細管現象により広がる間隔にて前記流路に配置して成る保持部と、を備えることを特徴とする検査対象受体。
【請求項２】
前記流路に、前記検査対象を導入する導入部を備えることを特徴とする請求項１記載の検査対象受体。
【請求項３】
前記保持部の少なくとも一部が前記導入部内に張り出していることを特徴とする請求項２に記載の検査対象受体。
【請求項４】
前記導入部は、前記導入部内に張り出した保持部により２つの領域に区分されるとともに、
前記２つの領域は、前記保持部の周辺に設けられた切り欠き部により連通していることを特徴とする請求項３に記載の検査対象受体。
【請求項５】
前記流路において、突起部を複数配列して成る異物除去部を有することを特徴とする請求項２に記載の検査対象受体。
【請求項６】
前記流路に、突起部を複数配置してなる検査部を有することを特徴とする請求項１〜５のいずれかに記載の検査対象受体。
【請求項７】
前記流路のうち、前記保持部と前記検査部との間に、試薬を導入するための試薬導入部を少なくとも１つ備えることを特徴とする請求項６記載の検査対象受体。
【請求項８】
前記試薬導入部に、複数の突起部を当該突起部の間に前記検査対象が毛細管現象により広がる間隔にて配置して成るピラー部、又は前記試薬導入部における他の部分よりも疎水性である疎水部を備え、
前記試薬導入部のうちの少なくとも一部は、前記ピラー部又は疎水部により、前記試薬導入部以外の流路と隔てられていることを特徴とする請求項７記載の検査対象受体。
【請求項９】
前記保持部から前記検査部へ向かう方向を前記検査対象の移動方向とするとき、前記流路のうち、前記検査部よりも、前記移動方向における下流の領域である液溜まり部に、複数の突起部を当該突起部の間に前記検査対象が毛細管現象により広がる間隔にて配置して成るピラー部、又は他の液溜まり部よりも疎水性である疎水部を備え、
前記液溜まり部のうちの少なくとも一部は、前記ピラー部又は疎水部により、前記検査部と隔てられていることを特徴とする請求項６〜８のいずれかに記載の検査対象受体。
【請求項１０】
前記流路は、前記検査部が設けられた下流部と、
前記下流部から分岐し、前記導入部に接続する上流部とを有し、
前記保持部は、前記上流部と前記下流部とに跨って設けられていることを特徴とする請求項６〜８のいずれかに記載の検査対象受体。
【請求項１１】
前記検査対象受体は、所定の中心部を軸として回転するものであるとともに、
前記下流部は、前記回転における動径方向に設けられ、
前記上流部と前記下流部とは、分岐している部分において、鋭角をなすことを特徴とする請求項１０記載の検査対象受体。
【請求項１２】
前記検査対象受体は、所定の中心部を軸として回転するものであるとともに、
前記下流部は、前記回転における動径方向に設けられ、
前記上流部と前記下流部とは、分岐している部分において、直角をなすことを特徴とする請求項１０記載の検査対象受体。
【請求項１３】
前記検査対象受体は、所定の中心部を軸として回転するものであるとともに、
前記下流部は、前記回転における動径方向に設けられ、
前記上流部と前記下流部とは、分岐している部分において、鈍角をなすことを特徴とする請求項１０記載の検査対象受体。
【請求項１４】
前記流路において、前記保持部と検査部との間に、突起部を設けない中間部を有することを特徴とする請求項６〜１３のいずれかに記載の検査対象受体。
【請求項１５】
前記保持部は、前記検査部に近い側に、前記保持部における他の部分よりも突起間隔が小さい部分を有することを特徴とする請求項６〜１４のいずれかに記載の検査対象受体。
【請求項１６】
前記保持部は、前記検査部に近い側に、前記保持部における他の部分よりも疎水性である部分を有することを特徴とする請求項６〜１５のいずれかに記載の検査対象受体。
【請求項１７】
前記保持部は、前記検査部に近い側であって、前記流路の壁面近傍にある周辺部に、前記保持部における他の部分よりも突起間隔が小さい部分を有することを特徴とする請求項６〜１６のいずれかに記載の検査対象受体。
【請求項１８】
前記保持部は、前記検査部に近い側であって、前記流路の壁面近傍にある周辺部に、前記保持部における他の部分よりも疎水性である部分を有することを特徴とする請求項６〜１７のいずれかに記載の検査対象受体。
【請求項１９】
前記検査部は、前記流路の壁面近傍にある周辺部に、前記検査部における他の部分よりも突起間隔が小さい部分を有することを特徴とする請求項６〜１８のいずれかに記載の検査対象受体。
【請求項２０】
前記検査部は、前記流路の壁面近傍にある周辺部に、前記検査部における他の部分よりも疎水性である部分を有することを特徴とする請求項６〜１９のいずれかに記載の検査対象受体。
【請求項２１】
前記検査部のうち、検査対象の移動方向における下流側は、上流側に比べて、突起間隔が小さいことを特徴とする請求項６〜２０のいずれかに記載の検査対象受体。
【請求項２２】
前記保持部が備える突起部の形状が略円柱形状であることを特徴とする請求項１〜２１のいずれかに記載の検査対象受体。
【請求項２３】
前記保持部は、親水性の表面を持つ材料にて形成されているか、或いは、前記保持部の一部又は全てに親水性処理が施されていることを特徴とする請求項１〜２２のいずれかに記載の検査対象受体。
【請求項２４】
前記導入部は、親水性の表面を持つ材料にて形成されているか、或いは、前記導入部の一部又は全てに親水性処理が施されていることを特徴とする請求項２〜４のいずれかに記載の検査対象受体。
【請求項２５】
前記流路が溝であることを特徴とする請求項１〜２４のいずれかに記載の検査対象受体。
【請求項２６】
前記導入部は、複数の突起部を、当該突起部の間に前記検査対象が毛細管現象により広がる間隔にて配置して成るピラー部、又は導入部における他の部分よりも疎水性である疎水部を備えるとともに、
前記導入部は、前記ピラー部又は疎水部により、前記導入部以外の流路に連通した甲領域と、前記ピラー部又は疎水部により、前記導入部以外の流路と隔てられた乙領域とに区分されることを特徴とする請求項２〜４のいずれかに記載の検査対象受体。
【請求項２７】
液状の対象物から所定の量を計り取る用途に用いられる分取装置であって、
前記対象物を一定の経路を経て移動させる流路と、
複数の突起部を、当該突起部の間に前記対象物が毛細管現象により広がる間隔にて前記流路に配置して成る保持部と、を備えることを特徴とする分取装置。
【請求項２８】
前記流路に、前記対象物を導入する導入部を備えることを特徴とする請求項２７記載の分取装置。
【請求項２９】
前記保持部の少なくとも一部が前記導入部内に張り出していることを特徴とする請求項２８に記載の分取装置。
【請求項３０】
前記導入部は、前記導入部内に張り出した保持部により２つの領域に区分されるとともに、
前記２つの領域は、前記保持部の周辺に設けられた切り欠き部により連通していることを特徴とする請求項２９に記載の分取装置。
【請求項３１】
前記突起部の形状が略円柱形状であることを特徴とする請求項２７〜３０のいずれかに記載の分取装置。
【請求項３２】
前記保持部は、親水性の表面を持つ材料にて形成されているか、或いは、前記保持部の一部又は全てに親水性処理が施されていることを特徴とする請求項２７〜３１のいずれかに記載の分取装置。
【請求項３３】
前記流路が溝であることを特徴とする請求項２７〜３２のいずれかに記載の分取装置。
【請求項３４】
液状の対象物から所定の量を計り取る分取方法であって、
前記対象物を複数の突起部を配置して成る保持部に接触させ、前記対象物を前記保持部の中に毛細管現象により広げる工程と、
前記保持部の中に広がった対象物に駆動力を作用させ、前記保持部から取り出す工程と、を有することを特徴とする分取方法。
【請求項３５】
前記駆動力が遠心力であることを特徴とする請求項３４記載の分取方法。
【請求項３６】
前記突起部の形状が略円柱形状であることを特徴とする請求項３４又は３５に記載の分取方法。
【請求項３７】
前記保持部は、親水性の表面を持つ材料にて形成されているか、或いは、前記保持部が備える突起部の表面が親水性処理を施されていることを特徴とする請求項３４〜３６のいずれかに記載の分取方法。
【請求項３８】
請求項６〜２０のいずれかに記載の検査対象受体と、
前記検査対象が遠心力により前記流路に沿って流れるように、前記検査対象受体を回転させる回転部と、
前記回転部の動作を制御する制御部と、
を備える検査装置であって、
前記制御部は、液状の対象物を、前記検査部から、それよりも下流に廃液するときの前記検査対象受体の回転数Ｒ１を、前記液状の対象物を、前記検査部に導入するときの前記検査対象受体の回転数Ｒ２よりも大きくすることを特徴とする検査装置。
【請求項３９】
コンピュータを請求項３８における制御部として機能させるプログラム。
【請求項４０】
請求項３９記載のプログラムを記憶した記憶媒体。
【発明の詳細な説明】
【技術分野】
【０００１】
本発明は、所望する液体の容量を定量したり、定量後に分離する微小流体工学構成要素に関し、例えば、化学的、医学的、生物学的な化学分析を行うための検査対象受体、分取装置、分取方法、検査装置、プログラム、及び記憶媒体に関する。
【背景技術】
【０００２】
基板（チップ）上にポンプ、バルブ、リアクターなど様々な機能を微小化、集積化させたシステムにて、より高速、高効率な分析や合成などの化学反応を行う方法が研究されている。
【０００３】
このようなシステムの報告例として、例えば、回転によって検査対象受体（チップ）を操作し、回転により生じる遠心力を利用して、検査対象受体内に形成された流路内の液体を移動させ、反応させるポンプレスの微量システム検査装置（以下、背景技術１とする）がある。この装置は、遠心力を利用するため、液体を駆動するためのポンプが不要となり、シンプルなシステムとすることができ、且つ、遠心力の特性上、回転の中心から同一距離にある液体に対しては、同一の力をかけることができるという利点がある。
【０００４】
また、他のシステムとしては、計量キャピラリーアレイを検査対象受体内に配置した例が知られている（特許文献１参照、以下、背景技術２とする）。
【特許文献１】特許第３５３７８１３号公報
【発明の開示】
【発明が解決しようとする課題】
【０００５】
しかしながら、背景技術１の装置では、所望する量の反応液を再現性良く供給することができないため、検査結果の再現性が十分でなかった。
また、背景技術２では、計量する液の体積が１０〜５０μＬ（マイクロリットル）という量であり、より微量の液体に対する検査に対応できないため、検査対象受体を用いた微量システムの検査において、効率性、正確性が不十分であった。
【０００６】
本発明は以上の点に鑑みなされたものであり、ｎＬ（ナノリットル）〜μＬと、従来よりも１オーダー小さい微量な液体の正確な定量、分離が可能であり、計量する液体の体積が数十〜数百μＬといった液体量においても、精度よく定量できるので、あらゆる定量や、定量後に分離する微小流体工学構成要素に展開できる検査対象受体、分取装置、分取方法、検査装置、プログラム、及び記憶媒体を提供することを目的とする。
【課題を解決するための手段】
【０００７】
（１）請求項１の発明は、
液状の検査対象を検査する用途に用いられる検査対象受体であって、前記検査対象を一定の経路を経て移動させる流路と、複数の突起部を、当該突起部の間に前記検査対象が毛細管現象により広がる間隔にて前記流路に配置して成る保持部と、を備えることを特徴とする検査対象受体を要旨とする。
【０００８】
本発明の検査対象受体において、流路にある液状の検査対象を保持部に接触させると、毛細管現象により所定量の検査対象が保持部の中に吸収される。その後、保持部に吸収された検査対象に、例えば遠心力などの駆動力を作用させれば、保持部に吸収された検査対象の一部又は全部の所望した容量を取り出すことができる。
【０００９】
このとき、保持部に一旦吸収される検査対象の量は保持部全体の体積から突起部の体積を差し引いたものであるから一定の量となる。そのため、本発明の検査対象受体を用いて上記のような操作を行えば、所定量の検査対象を計り取ることができる。また、本発明によれば、ｎＬ〜μＬオーダーの微細な量を精度良く計り取ることができる。
【００１０】
また、本発明の検査対象受体は、従来の検査対象受体のように、微小バルブを別途作製し、高精度の組付けを行う必要がないので、製造が容易であり、製造コストが低い。
本発明の検査対象受体では、上記のように計り取った検査対象に対し、例えば、流路の一部に設けた検査部において生物、化学反応による検査を行うことができる。
（２）請求項２の発明は、
前記流路に、前記検査対象を導入する導入部を備えることを特徴とする請求項１記載の検査対象受体を要旨とする。
【００１１】
本発明では、導入部を介して流路に検査対象を導入することができる。
（３）請求項３の発明は、
前記保持部の少なくとも一部が前記導入部内に張り出していることを特徴とする請求項２に記載の検査対象受体を要旨とする。
【００１２】
本発明では、保持部の少なくとも一部が導入部内に張り出しているので、導入部に供給した検査対象は、保持部のうち張り出した部分から保持部に毛細管現象により吸収される。そのため、検査対象を容易に計り取ることができる。
（４）請求項４の発明は、
前記導入部は、前記導入部内に張り出した保持部により２つの領域に区分されるとともに、前記２つの領域は、前記保持部の周辺に設けられた切り欠き部により連通していることを特徴とする請求項３に記載の検査対象受体を要旨とする。
【００１３】
本発明によれば、２つの領域のうちの、保持部よりも上流側（検査対象受体を回転させ、遠心力で検査対象を流路に沿って送る場合は、回転における内周側）の領域に検査対象を導入し、その検査対象を保持部に吸収させる。そして、保持部に吸収されずに残った検査対象は、切り欠き部を通して、導入部のうちの他方の領域（保持部よりも下流側の領域）に移動させることができる。この他方の領域に入った検査対象に、例えば遠心力などの駆動力を作用させて保持部から遠ざけるようにすれば、余分な検査対象が保持部に流れ込んでしまうようなことがない。
（５）請求項５の発明は、
前記流路において、前記導入部と前記保持部との間に、突起部を複数配列して成る異物除去部を有することを特徴とする請求項２に記載の検査対象受体を要旨とする。
【００１４】
本発明によれば、導入部に導入した検査対象が異物を含んでいたとしても、異物除去部によりその異物を除くことができるので、異物が保持部に入り込んでしまうようなことがない。
（６）請求項６の発明は、
前記流路に、突起部を複数配置してなる検査部を有することを特徴とする請求項１〜５のいずれかに記載の検査対象受体を要旨とする。
【００１５】
本発明では、保持部を用いて所定量を計り取った検査対象を検査部に移動させ、生物、化学的反応による検査を行うことができる。本発明における検査部は突起部を複数配置してなるので表面積が大きく、検出感度を高めることができる。
（７）請求項７の発明は、
前記流路のうち、前記保持部と前記検査部との間に、試薬を導入するための試薬導入部を少なくとも１つ備えることを特徴とする請求項６記載の検査対象受体を要旨とする。
【００１６】
本発明によれば、保持部と検査部との間に設けられた少なくとも１つの試薬導入部により、検査部に検査対象や試薬を導入することができる。保持部から検査部へ向かう方向を検査対象の流れ方向とすると、試薬導入部は、保持部よりも下流方向にあるので、試薬導入部から試薬を導入すれば、精密な計量の必要がない試薬等は、保持部を経ずに、検査部に送ることができるので、保持部で計量を行う前に、保持部を濡らして、精密な計量を阻害する恐れがなくなる。尚、試薬導入部が他の流路につながる位置は、検査部に重なっていてもよい。
（８）請求項８の発明は、
前記試薬導入部に、複数の突起部を当該突起部の間に前記検査対象が毛細管現象により広がる間隔にて配置して成るピラー部、又は前記試薬導入部における他の部分よりも疎水性である疎水部を備え、前記試薬導入部のうちの少なくとも一部は、前記ピラー部又は疎水部により、前記試薬導入部以外の流路と隔てられていることを特徴とする請求項７記載の検査対象受体を要旨とする。
【００１７】
本発明では、試薬導入部にピラー部または疎水部が設けられているので、試薬導入部に供給した試薬が、試薬導入部内に留まり、使用者の意図に反して他の流路に流れ込んでしまうようなことがない。
（９）請求項９の発明は、
前記保持部から前記検査部へ向かう方向を前記検査対象の移動方向とするとき、前記流路のうち、前記検査部よりも、前記移動方向における下流の領域である液溜まり部に、複数の突起部を当該突起部の間に前記検査対象が毛細管現象により広がる間隔にて配置して成るピラー部、又は他の液溜まり部よりも疎水性である疎水部を備え、
前記液溜まり部のうちの少なくとも一部は、前記ピラー部又は疎水部により、前記検査部と隔てられていることを特徴とする請求項６〜８のいずれかに記載の検査対象受体を要旨とする。
【００１８】
本発明では、液溜まり部に設けられたピラー部又は疎水部により、液溜まり部からの逆流を防止することができる。
（１０）請求項１０の発明は、
前記流路は、前記検査部が設けられた下流部と、前記下流部から分岐し、前記導入部に接続する上流部とを有し、前記保持部は、前記上流部と前記下流部とに跨って設けられていることを特徴とする請求項６〜８のいずれかに記載の検査対象受体を要旨とする。
【００１９】
本発明では、保持部の一部は、検査部と同じく、下流部に位置する。そのため、保持部に保持されている検査対象に対し、下流部に沿って検査部に向かう方向の遠心力などの駆動力を作用させれば、少なくとも、保持部のうちの下流部にある部分に保持されている検査対象を取り出し、検査部に送ることができる。
（１１）請求項１１の発明は、
前記検査対象受体は、所定の中心部を軸として回転するものであるとともに、前記下流部は、前記回転における動径方向に設けられ、前記上流部と前記下流部とは、分岐している部分において、鋭角をなすことを特徴とする請求項１０記載の検査対象受体を要旨とする。
【００２０】
本発明では、図７（ａ）に示すように、上流部２５ｂと、動径方向に設けられた下流部２５ｃとのなす角度が鋭角であるので、保持部２５ｇのうちの下流部２５ｃ側に保持された検査対象に対し、例えば、検査対象受体を所定の中心部を軸として回転させ、遠心力により、流路に沿って、検査部に向かう方向の駆動力をかけると、保持部２５ｇのうち上流部２５ｂ側にある検査対象には、流路に沿って、検査部２５ｈから遠ざかる方向への駆動力がかかる。
【００２１】
そのため、保持部２５ｇのうちの、下流部２５ｃ側に保持された検査対象のみを、検査部２５ｈに再現性よく移動させるとともに、保持部２５ｇのうちの、上流部２５ｂ側にある検査対象が検査部２５ｈに流れ込むことを防止できる。
【００２２】
本発明では、上記のように、保持部２５ｇのうちの、上流部２５ｂ側に保持された検査対象が下流部２５ｃ側に流れることを防止できるので、上流部２５ｂに導入部を兼ねさせても、導入部から下流部２５ｃに検査対象が不本意に流れてしまうようなことがない。よって、上流部２５ｂに導入部を兼ねさせ、省スペース可することが可能である。
（１２）請求項１２の発明は、
前記検査対象受体は、所定の中心部を軸として回転するものであるとともに、前記下流部は、前記回転における動径方向に設けられ、前記上流部と前記下流部とは、分岐している部分において、直角をなすことを特徴とする請求項１０記載の検査対象受体を要旨とする。
【００２３】
本発明では、図７（ｂ）に示すように、上流部２５ｂと、動径方向に沿って設けられた下流部２５ｃとのなす角度が直角であるので、保持部２５ｇのうちの下流部２５ｃ側に保持された検査対象に対し、例えば、検査対象受体を所定の中心部を軸として回転させ、遠心力により、流路に沿って、検査部２５ｈに向かう駆動力をかけると、保持部２５ｇのうちの上流部２５ｂ側に保持された検査対象には、駆動力がかからない。そのため、保持部２５ｇのうちの、下流部２５ｃ側に保持された検査対象のみを、検査部２５ｈに再現性よく移動させることができる。この場合、保持部２５ｇのうちの、下流部２５ｃ側に保持された検査対象を送り出した後も、保持部２５ｇには検査対象が残っているので、再度、検査対象を保持部２５ｇから下流部２５ｃ側に送り出すときには、検査対象の追加量が少なくて済み、検査対象の少量化が可能となる。
（１３）請求項１３の発明は、
前記検査対象受体は、所定の中心部を軸として回転するものであるとともに、前記下流部は、前記回転における動径方向に設けられ、前記上流部と前記下流部とは、分岐している部分において、鈍角をなすことを特徴とする請求項１０記載の検査対象受体を要旨とする。
【００２４】
本発明では、図７（ｃ）に示すように、上流部２５ｂと、動径方向に設けられた下流部２５ｃとのなす角度が鈍角であるので、保持部２５ｇのうちの下流部２５ｃ側に保持された検査対象に対し、例えば、検査対象受体を所定の中心部を軸として回転させ、遠心力により、流路に沿って、検査部２５ｈに向かう駆動力をかけると、保持部２５ｇのうちの上流部２５ｂ側に保持された検査対象にも、同じ方向への駆動力がかかる。
【００２５】
そのため、保持部２５ｇのうちの、下流部２５ｃ側に保持された検査対象と、上流部２５ｂ側に保持された検査対象とを、検査部２５ｈに再現性よく移動させることができる。本発明は特に、検査部２５ｈへ移動させる検査対象の量を多くする必要があるときに有効である。
（１４）請求項１４の発明は、
前記流路において、前記保持部と検査部との間に、突起部を設けない中間部を有することを特徴とする請求項６〜１３のいずれかに記載の検査対象受体を要旨とする。
【００２６】
本発明では、保持部と検査部との間に、突起部を設けない中間部を有するので、保持部に保持された検査対象が、保持部内に留まり、使用者の意図に反して検査部に流れてしまうようなことがない。
【００２７】
本発明では、例えば、中間部を疎水性の表面を持つ材料で形成することができる。また、中間部の表面の全部又は一部を疎水処理することができる。こうすることにより、中間部を検査対象が流れにくくなるので、保持部に保持された検査対象が使用者の意図に反して検査部に流れてしまうことを一層確実に防止できる。
（１５）請求項１５の発明は、
前記保持部は、前記検査部に近い側に、前記保持部における他の部分よりも突起間隔が小さい部分を有することを特徴とする請求項６〜１４のいずれかに記載の検査対象受体を要旨とする。
【００２８】
本発明では、保持部のうち、検査部に近い側に、突起間隔が小さい部分がある。この部分は、検査対象の粘性抵抗が大きくなる為流れにくくなるので、保持部に保持された検査対象が、使用者の意図に反して検査部に流れてしまうようなことがない。
（１６）請求項１６の発明は、
前記保持部は、前記検査部に近い側に、前記保持部における他の部分よりも疎水性である部分を有することを特徴とする請求項６〜１５のいずれかに記載の検査対象受体を要旨とする。
【００２９】
本発明では、保持部のうち、検査部に近い側に、疎水性の部分がある。この部分は、検査対象が比較的流れにくいので、保持部に保持された検査対象が、使用者の意図に反して検査部に流れてしまうようなことがない。
（１７）請求項１７の発明は、
前記保持部は、前記検査部に近い側であって、前記流路の壁面近傍にある周辺部に、前記保持部における他の部分よりも突起間隔が小さい部分を有することを特徴とする請求項６〜１６のいずれかに記載の検査対象受体を要旨とする。
【００３０】
本発明では、保持部のうち、検査部に近い側であって、流路の壁面近傍にある周辺部では、突起間隔が小さくなっている。この部分は、検査対象の粘性抵抗が大きくなる為流れにくくなるので、検査対象が保持部を通過するときは、その中心を流れるようになる。そして、保持部から出た検査対象も、流路の中心を通り、検査部の中心に入る。このことにより、検査部の壁面だけを検査対象が流れてしまい、十分に検査部に吸着されなくなるようなことがない。
（１８）請求項１８の発明は、
前記保持部は、前記検査部に近い側であって、前記流路の壁面近傍にある周辺部に、前記保持部における他の部分よりも疎水性である部分を有することを特徴とする請求項６〜１７のいずれかに記載の検査対象受体を要旨とする。
【００３１】
本発明では、保持部のうち、検査部に近い側であって、流路の壁面近傍にある周辺部は、疎水性となっている。この部分は検査対象が比較的流れにくいので、検査対象が保持部を通過するときは、その中心を流れるようになる。そして、保持部から出た検査対象も、流路の中心を通り、検査部の中心に入る。このことにより、検査部の壁面だけを検査対象が流れてしまい、十分に検査部に吸着されなくなるようなことがない。
（１９）請求項１９の発明は、
前記検査部は、前記流路の壁面近傍にある周辺部に、前記検査部における他の部分よりも突起間隔が小さい部分を有することを特徴とする請求項６〜１８のいずれかに記載の検査対象受体を要旨とする。
【００３２】
本発明では、検査部のうち、流路の壁面近傍の周辺部では、突起間隔が小さい。この部分は、検査対象の粘性抵抗が大きくなる為流れにくくなるので、検査対象が検査部を通過するときは、その中心を流れるようになる。このことにより、検査部の壁面だけを検査対象が流れてしまい、十分に検査部に吸着されなくなるようなことがない。
（２０）請求項２０の発明は、
前記検査部は、前記流路の壁面近傍にある周辺部に、前記検査部における他の部分よりも疎水性である部分を有することを特徴とする請求項６〜１９のいずれかに記載の検査対象受体を要旨とする。
【００３３】
本発明では、検査部のうち、流路の壁面近傍の周辺部では、疎水性である。この部分は検査対象が比較的流れにくいので、検査対象が検査部を通過するときは、その中心を流れるようになる。このことにより、検査部の壁面だけを検査対象が流れてしまい、十分に検査部に吸着されなくなるようなことがない。
（２１）請求項２１の発明は、
前記検査部のうち、検査対象の移動方向における下流側は、上流側に比べて、突起間隔が小さいことを特徴とする請求項６〜２０のいずれかに記載の検査対象受体を要旨とする。
【００３４】
本発明において、検査部は、その下流側の突起間隔が、上流側よりも狭くなっているので、検査部を流れる検査対象や試薬の流動抵抗は、上流よりも下流において大きくなっている。遠心力を、検査対象や試薬を駆動する駆動力とする場合、その力の大きさは、円運動における外周側（つまり流路の下流側）にゆくほど大きくなるが、本発明では、それに応じて流動抵抗も下流の方が大きいので、検査対象や試薬が、検査部内を一定の速度で流れることが出来、下流で速く流れすぎてしまうようなことがないので、吸着や反応を一定の速度で行うことができる。
（２２）請求項２２の発明は、
前記保持部が備える突起部の形状が略円柱形状であることを特徴とする請求項１〜２１のいずれかに記載の検査対象受体を要旨とする。
【００３５】
本発明では、突起部の形状が略円柱形状であるので、検査対象が保持部を抵抗を少なくスムーズに流れることが可能となる。
（２３）請求項２３の発明は、
前記保持部は、親水性の表面を持つ材料にて形成されているか、或いは、前記保持部の一部又は全てに親水性処理が施されていることを特徴とする請求項１〜２２のいずれかに記載の検査対象受体を要旨とする。
【００３６】
本発明では、保持部が親水性の表面を持つ材料にて形成されているか、或いは、保持部の一部又は全てに親水性処理が施されているので、検査対象をスムーズに保持部に吸収させることができる。
【００３７】
親水性の表面を持つ材料としては、例えば、ヒドロキシエチルメタクリレート、Ｎ−ビニルピロリドン、ジメチルアクリルアミド、グリセロールメタクリレート、メチルメタクリレート等が挙げられる。また、親水性処理としては、例えば、プラズマ処理、紫外線照射処理、親水性樹脂（ポリビニルアルコール等）のコーティング処理等が挙げられる。
（２４）請求項２４の発明は、
前記導入部は、親水性の表面を持つ材料にて形成されているか、或いは、前記導入部の一部又は全てに親水性処理が施されていることを特徴とする請求項２〜４のいずれかに記載の検査対象受体を要旨とする。
【００３８】
本発明では、導入部が親水性の表面を持つ材料にて形成されているか、或いは、導入部の一部又は全てに親水性処理が施されているので、検査対象をスムーズに導入部に導入することができる。
（２５）請求項２５の発明は、
前記流路が溝であることを特徴とする請求項１〜２４のいずれかに記載の検査対象受体を要旨とする。
【００３９】
本発明では、流路が溝であることにより、検査対象を安定して移動させることができる。
（２６）請求項２６の発明は、
前記導入部は、複数の突起部を、当該突起部の間に前記検査対象が毛細管現象により広がる間隔にて配置して成るピラー部、又は導入部における他の部分よりも疎水性である疎水部を備えるとともに、前記導入部は、前記ピラー部又は疎水部により、前記導入部以外の流路に連通した甲領域と、前記ピラー部又は疎水部により、前記導入部以外の流路と隔てられた乙領域とに区分されることを特徴とする請求項２〜４のいずれかに記載の検査対象受体を要旨とする。
【００４０】
本発明では、導入部のうちの甲領域に検査対象を供給する。甲領域は導入部以外の流路に連通しているので、所望量の検査対象を、導入部以外の流路に流すことができる。
そして、余分な検査対象は、例えば、遠心力等の駆動力により、乙領域に送ることができる。乙領域に入った検査対象は、導入部以外の流路との間をピラー部又は疎水部により隔てられているので、残った検査対象は甲領域に戻りにくく、使用者の意図に反して再度保持部や甲領域に流れてしまうようなことがない。
【００４１】
前記ピラー部又は疎水部は、保持部よりも下流側（検査対象受体を回転させ、遠心力で検査対象を流路に沿って送る場合は、回転における外周側）に設けることができる。
（２７）請求項２７の発明は、
液状の対象物から所定の量を計り取る用途に用いられる分取装置であって、前記対象物を一定の経路を経て移動させる流路と、複数の突起部を、当該突起部の間に前記対象物が毛細管現象により広がる間隔にて前記流路に配置して成る保持部と、を備えることを特徴とする分取装置を要旨とする。
【００４２】
本発明の分取装置において、流路にある液状の対象物を保持部に接触させると、毛細管現象により所定量の対象物が保持部の中に吸収される。その後、保持部に吸収された対象物に、例えば遠心力などの駆動力を作用させれば、保持部に吸収された対象物の一部又は全部の所望した容量を取り出すことができる。
【００４３】
このとき、保持部に一旦吸収され、その後取り出される対象物の量は保持部全体の体積から突起部の体積を差し引いたものであるから一定の量となる。そのため、本発明の分取装置を用いて上記のような操作を行えば、所定量の対象物を計り取ることができる。また、本発明によれば、ｎＬ〜μＬオーダーの微細な量を精度良く計り取ることができる。
（２８）請求項２８の発明は、
前記流路に、前記対象物を導入する導入部を備えることを特徴とする請求項２７記載の分取装置を要旨とする。
【００４４】
本発明では、導入部を介して流路に検査対象を導入することができる。
（２９）請求項２９の発明は、
前記保持部の少なくとも一部が前記導入部内に張り出していることを特徴とする請求項２８に記載の分取装置を要旨とする。
【００４５】
本発明では、保持部の少なくとも一部が導入部内に張り出しているので、導入部に供給した対象物は、保持部のうち張り出した部分から保持部に毛細管現象により吸収される。そのため、対象物を容易に計り取ることができる。
（３０）請求項３０の発明は、
前記導入部は、前記導入部内に張り出した保持部により２つの領域に区分されるとともに、前記２つの領域は、前記保持部の周辺に設けられた切り欠き部により連通していることを特徴とする請求項２９に記載の分取装置を要旨とする。
【００４６】
本発明によれば、２つの領域のうち、保持部よりも上流側（検査対象受体を回転させ、遠心力で検査対象を流路に沿って送る場合は、回転における内周側）の領域に対象物を導入し、その対象物を保持部に吸収させることができる。そして、保持部に吸収されずに残った対象物は、切り欠き部を通して、導入部のうちの他方の領域に移動させることができる。この他方の領域に入った対象物に、例えば遠心力などの駆動力を作用させて保持部から遠ざけるようにすれば、余分な対象物が保持部に流れ込んでしまうようなことがない。
（３１）請求項３１の発明は、
前記突起部の形状が略円柱形状であることを特徴とする請求項２７〜３０のいずれかに記載の分取装置を要旨とする。
【００４７】
本発明では、突起部の形状が略円柱形状であるので、検査対象が保持部を抵抗を少なくスムーズに流れることが可能となる。
（３２）請求項３２の発明は、
前記保持部は、親水性の表面を持つ材料にて形成されているか、或いは、前記保持部の一部又は全てに親水性処理が施されていることを特徴とする請求項２７〜３１のいずれかに記載の分取装置を要旨とする。
【００４８】
本発明では、保持部が親水性の表面を持つ材料にて形成されているか、或いは、保持部が備える突起部の表面が親水性処理を施されているので、対象物をスムーズに保持部に吸収させることができる。
（３３）請求項３３の発明では、
前記流路が溝であることを特徴とする請求項２７〜３２のいずれかに記載の分取装置を要旨とする。
【００４９】
本発明では、流路が溝であることにより、対象物を安定して移動させることができる。
（３４）請求項３４の発明は、
液状の対象物から所定の量を計り取る分取方法であって、前記対象物を複数の突起部を配置して成る保持部に接触させ、前記対象物を前記保持部の中に毛細管現象により広げる工程と、前記保持部の中に広がった対象物に駆動力を作用させ、前記保持部から取り出す工程と、を有することを特徴とする分取方法を要旨とする。
【００５０】
本発明において、液状の対象物を保持部に接触させると、毛細管現象により所定量の対象物が保持部の中に吸収される。その後、保持部に吸収された対象物に、例えば遠心力などの駆動力を作用させれば、保持部に吸収された対象物を取り出すことができる。
【００５１】
このとき、保持部に一旦吸収され、その後取り出される対象物の量は保持部全体の体積から突起部の体積を差し引いたものであるから一定の量となる。そのため、本発明によれば、所定量の対象物を計り取ることができる。また、本発明によれば、ｎＬ〜μＬオーダーの微細な量を精度良く計り取ることができる。
（３５）請求項３５の発明は、
前記駆動力が遠心力であることを特徴とする請求項３４記載の分取方法を要旨とする。
【００５２】
本発明では、保持部に吸収された対象物に対し遠心力を作用させることで、保持部から取り出すことができる。
（３６）請求項３６の発明は、
前記突起部の形状が略円柱形状であることを特徴とする請求項３４又は３５に記載の分取方法を要旨とする。
【００５３】
本発明では、突起部の形状が略円柱形状であるので、検査対象が保持部を抵抗を少なくスムーズに流れることが可能となる。
（３７）請求項３７の発明は、
前記保持部は、親水性の表面を持つ材料にて形成されているか、或いは、前記保持部が備える突起部の表面が親水性処理を施されていることを特徴とする請求項３４〜３６のいずれかに記載の分取方法を要旨とする。
【００５４】
本発明では、保持部が親水性の表面を持つ材料にて形成されているか、或いは、保持部が備える突起部の表面が親水性処理を施されているので、対象物をスムーズに保持部に吸収させることができる。
（３８）請求項３８の発明は、
請求項６〜２０のいずれかに記載の検査対象受体と、前記検査対象が遠心力により前記流路に沿って流れるように、前記検査対象受体を回転させる回転部と、前記回転部の動作を制御する制御部と、を備える検査装置であって、前記制御部は、液状の対象物を、前記検査部から、それよりも下流に廃液するときの前記検査対象受体の回転数Ｒ１を、前記液状の対象物を、前記検査部に導入するときの前記検査対象受体の回転数Ｒ２よりも大きくすることを特徴とする検査装置を要旨とする。
【００５５】
本発明によれば、回転数Ｒ１が大きいので、検査部にある液状の対象物（例えば、検査対象、試薬、洗浄液等）を、迅速且つ確実に送り出すことができる。また、回転数Ｒ２が小さいので、液状の対象物が検査部内を流れる速度が過大になることがない。
（３９）請求項３９の発明は、
コンピュータを請求項３８における制御部として機能させるプログラムを要旨とする。
（４０）請求項４０の発明は、
請求項３９記載のプログラムを記憶した記憶媒体を要旨とする。
【００５６】
本発明の記憶媒体は、プログラムを記憶できるものであればよく、例えば、フロッピー（登録商標）ディスク、ハードディスク等の磁気記憶媒体、光ディスク、ＣＤ−ＲＯＭ、ＣＤ−Ｒ、ＣＤ−ＲＷ、ＤＶＤ、フラッシュメモリ等が挙げられる。
【発明を実施するための最良の形態】
【００５７】
本発明を実施するための最良の形態を実施例を用いて説明する。
【実施例１】
【００５８】
ａ）まず、本実施例１における検査装置の構成を図１を用いて説明する。検査装置１は、ポリスチレン樹脂から成る円盤形状の検査対象受体３と、回転部５とから成る。回転部５は、図１に示すように、チャック部１５と、チャック部１５の下面中央に取り付けられた回転軸１７と、回転軸１７を回転駆動する回転モーター１９と、回転軸１７を軸支する軸受け２１と、軸受け２１に取り付けられたカバー部２３とを有している。そして、上記チャック部１５の上面には、図示しない開口部が形成され、その開口部は図示しない吸引ポンプと連通しており、吸引ポンプが吸引することにより、検査対象受体３の下面とチャック部１５の上面１５ｂが相対移動不可能に密着する。すなわち、チャック部１５及び検査対象受体３とが一体に回転する。
【００５９】
検査対象受体３を、その中心が回転軸１７と同軸となるように、チャック部１５に固定した状態で回転モータ１９を駆動すると、検査対象受体３は回転軸１７（すなわち、検査対象受体３の中心）を回転中心として回転する。回転部５は、ＣＰＵ、ＲＯＭ、ＲＡＭ等を有する制御部（図示略）を備えている。この制御部のＲＯＭ（記憶媒体）に記憶されたプログラムにより、回転部５の動作は制御される。回転部５の動作（即ち、検査対象受体３の回転数の制御）の詳細は、後述するｂ）において述べる。
【００６０】
次に、検査対象受体３の構成を図２〜７を用いて説明する。検査対象受体３は、図２（ａ）に示す本体部３７と、図２（ｂ）に示す蓋３９とから成る。
本体部３７は、円盤型の部材の片面に、検査パターン構成部（流路）２５、２７、２９、３１、３３、３３、３５を形成したものである。これら検査パターン構成部２５等は、 図３（ａ）に示すように、上方が開口した断面が略長方形の溝である。尚、図３（ａ）は、図２（ａ）におけるＸ−Ｘ断面での断面図である。
【００６１】
検査パターン構成部２５は、図２（ａ）および図４（ａ）に示すように、本体部３７の動径方向に伸びる、幅一定の溝である下流部２５ｃと、下流部２５ｃから分岐し、本体部３７の周方向に伸びる、幅一定の溝である上流部２５ｂと、上流部２５ｂと接続し、その長手方向が本体部３７の動径方向に伸びる、瓢箪型の凹部である導入部２５ａと、下流部２５ｃと、本体部３７における内周側において接続する、略チューリップ形状の凹部である第２導入部２５ｄと、上流部２５ｂが分岐する位置よりも、本体部３７における外周側で下流部２５ｃに接続する、略ナス型形状の凹部である第３導入部（試薬導入部）２５ｅと、下流部２５ｃに、その最外周で接続する、周方向に伸びる弧状の凹部である液溜まり部２５ｆとから成る。
【００６２】
ここで、上流部２５ｂは本体部３７の周方向（図４（ａ）における横方向）に伸び、下流部２５ｃは本体部３７の動径方向（図４（ａ）における縦方向）に伸びているので、上流部２５ｂと下流部２５ｃとが接続する部分において、上流部２５ｂと下流部２５ｃとのなす角度は直角である。また、液溜まり部２５ｆには、本体部３７の最外周まで達している。また、第２導入部２５ｄ、第３導入部２５ｅは、それらの下流部２５ｃに接続する側の端が、本体部３７における外周側となり、反対側の端が本体部３７における内周側となるように設けられている。
【００６３】
図４（ａ）に示すように、上流部２５ｂの全体、導入部２５ａのうち上流部２５ｂに隣接する部分、および下流部２５ｃのうち上流部２５ｂに隣接する部分（図４において斜線を付した部分）には、保持部２５ｇが形成されている。この保持部２５ｇは、図４（ｂ）に示すように、下流部２５ｃ内にある計量部２５ｇ２と、それ以外の部分である誘導部２５ｇ１とに区分される。
【００６４】
保持部２５ｇは、図５（ａ）、図５（ｂ）および図３（ｂ）に示すように、直径が３０μｍの円筒形状を有する突起を、検査パターン構成部２５の底面から多数立設させた部分である。尚、図５（ａ）は、図４（ａ）おける点線で囲まれた領域（ａ）の拡大写真であり、図５（ｂ）は、図４（ａ）における点線で囲まれた領域（ｂ）の拡大写真であり、図３（ｂ）は、図４（ａ）におけるＹ−Ｙ断面での断面図である。図５（ａ）および図５（ｂ）に示すように、保持部２５ｇにおける突起は千鳥格子状に規則正しく配列されており、突起同士の間隔は、液状の検査対象が毛細管現象により広がる間隔である。また、図３（ｂ）に示すように、保持部２５ｇにおいて個々の突起の軸方向は、上流部２５ｂの底面に直交する方向であり、突起の高さは、上流部２５ｂにおける溝の深さと同じである。そのため、突起の上面は、本体部３７における検査パターン構成部２５以外の部分と同一平面上にある。また、保持部２５ｇは、全体にわたってプラズマ処理による親水性処理が施されている。
【００６５】
保持部２５ｇは、図４（ａ）および図５（ａ）に示すように、導入部２５ａの内部に張り出しており、導入部２５ａは、その張り出した保持部２５ｇより内周側（図４（ａ）における上側）の領域と、外周側（図４（ｂ）における下側）の領域とに分けられる。ただし、それら２つの領域は、保持部２５ｇと、導入部２５ａにおける反対側の側面との隙間（切り欠き部）２５ｋにより連通している。
【００６６】
また、図４（ａ）に示すように、下流部２５ｃのうち、第３導入部２５ｅと接続する部分よりも下流側から、液溜まり部２５ｆまでの部分（図４（ａ）において斜線を付してある部分）には、検査部２５ｈが設けられている。この検査部２５ｈは、上記保持部２５ｇと同様に、突起を多数配列したものである。但し、検査部２５ｈを構成する突起同士の間隔は、図９（ｄ）に示すように、本体部３７の外側にゆくほど狭くなっている。
【００６７】
検査部２５ｈと保持部２５ｇとの間には、図４に示すように、突起が形成されていない領域（中間部２５Ｎ）が形成されている。
また、導入部２５ａにおいて、その外周側から略１／３の部分に、ピラー部２５ｉが設けられている。このピラー部２５ｉは、上記保持部２５ｇと同様に、検査パターン構成部２５の底面に突起を多数配列したものである。ピラー部２５ｉは、導入部２５ａを二つの領域に区分している。つまり、ピラー部２５ｉは、このピラー部２５ｉより内周側にある上流部２５ｂに連通する部分である２５ａ１と、ピラー部２５ｉより外周側であり、上流部２５ｂとはピラー部２５ｉにより隔てられた部分である２５ａ２とに区分している。
【００６８】
また、液溜まり部２５ｆにおいて、下流部２５ｃと接続する部分を一定の距離を置きながら円弧状に囲むように、ピラー部２５ｊが設けられている。このピラー部２５ｊは、上記保持部２５ｇと同様に、検査パターン構成部２５の底面に突起を多数配列したものである。ピラー部２５ｊは、液溜まり部２５ｆを二つの領域に区分している。つまり、このピラー部２５ｊより内周側であり、下流部２５ｃに連通する部分である２５ｆ１と、ピラー部２５ｊより外周側であり、下流部２５ｃとはピラー部２５ｊにより隔てられた部分である２５ｆ２とに区分している。
【００６９】
また、第３導入部２５ｅにおいて、下流部２５ｃと接続する出口付近に、ピラー部２５Ｌが設けられており、下流部２５ｃとの間を隔てている。このピラー部２５Ｌは、上記保持部２５ｇと同様に、検査パターン構成部２５の底面に突起を多数配列したものである。
【００７０】
第２導入部２５ｄについても、図４（ａ）に示すように、その下流側にピラー部２５Ｍが設けられており、下流部２５ｃとの間を隔てている。このピラー部２５Ｍも、ピラー部２５Ｌと同様に、検査パターン構成部２５の底面に突起を多数配列したものである。
【００７１】
検査パターン構成部２７〜３５の構成も、基本的には検査パターン構成部２５と同様であるが、一部相違点を有するものがある。以下では、主として検査パターン構成部２５との相違点について説明する。
【００７２】
検査パターン構成部２７では、導入部２７ａと第３導入部２７ｅとの配置が、計量部２７ｃを中心として対称となっている。
検査パターン構成部２９では、下流部２９ｃの伸びる方向が、本体部３７の動径方向に対し傾斜している。また、上流部２９ｂと下流部２９ｃとが一直線に形成されている。従って、上流部２９ｂと下流部２９ｃとが成す角度は１８０°（鈍角）である。そのため、検査パターン構成部２９では、検査パターン構成部２５の場合とは異なり、保持部２９ｇは、誘導部と計量部との区分がない。更に、検査パターン構成部２９では、第３導入部２９ｅが、検査パターン構成部２５における第２導入部２５ｄの様に、本体部３７の中心から動径方向に伸びている。この第３導入部２９ｅは、検査パターン構成部２５における第２導入部２５ｄ及び第３導入部２５ｅの機能を奏することができる。また、検査パターン構成部２９では、液溜まり部２９ｆにピラー部が形成されていない。
【００７３】
検査パターン構成部３１では、下流部３１ｃが、本体部３７の動径方向に対し傾斜している。上流部３１ｂは下流部３１ｃに対し直角をなすように接続しているので、上流部３１ｂも、本体部３７における周方向に対し傾斜している。また、検査パターン構成部３１では、液溜まり部３１ｆにピラー部が形成されていない。
【００７４】
検査パターン構成部３３は、検査パターン構成部２５と同様である。また、検査パターン構成部３５は検査パターン構成部２９と同様である。
検査対象受体３を本体部３７とともに構成する蓋３９は、図２（ｂ）に示すように、本体部３７と同一の直径を有する円盤型の部材であり、透明な樹脂から成る。この蓋３９は、本体部３７のうち、検査パターン構成部２７〜３５が形成されている面に、互いの中心が一致するように取り付けられる。こうすることにより、本体部３７の検査パターン構成部２５〜３５は、図６（ａ）に示すように、蓋３９によって上方の開口部を閉じられる。ただし、液溜まり部２５ｆ〜３５ｆは、上記のように本体部３７の最外周まで達しているので、蓋３９を取り付けたときでも、液溜まり部２５ｆ〜３５ｆの外周側は検査対象受体３の外部に連通している。また、蓋３９において、液溜まり部２５ｆ〜２５ｆの上部に対応する部分に穴が開けられていても良い。
【００７５】
また、保持部２５ｇや検査部２５ｈ、ピラー部２５ｉ、２５ｊのように、突起部が設けられた部分では、図６（ｂ）に示すように、突起部の上面が蓋３９に接するようになる。
更に、蓋３９には、図２（ｂ）に示すように、微小な穴４１が多数設けられている。これら穴４１は、蓋３９を本体部３７に取り付けたとき、検査パターン構成部２５〜３５において検査対象や試薬を導入する必要がある位置（例えば、導入部２５ａ、第２導入部２５ｄ、第３導入部２５ｅ）に重なるように形成されている。このことにより、蓋３９を本体部３７に取り付けた状態で、検査対象や試薬を検査パターン構成部２５〜３５に供給することができる。
【００７６】
ｂ）次に、検査対象受体３の使用方法の１例として、ＥＬＩＳＡ法により、人の血液中のトランスフェリン濃度を定量し、貧血の程度を正確に調べる方法を説明する。
(i)検査対象受体３への抗体の固定
各検査パターン構成部２５〜３５のそれぞれについて、検査部２５ｈ〜３５ｈにＧｏａｔ由来のトランスフェリン抗体の炭酸ナトリウム緩衝溶液希釈液（０．０５Ｍ  ＮａＨＣＯ３、ｐＨ９．６、１０μｇ／ｍｌ、以下一次抗体溶液とする）を１５μＬずつ流す。
【００７７】
具体的には、検査対象受体３を図１示すように検査装置１に取り付け、各検査パターン構成部２５〜３５の第３導入部２５ｅ〜３５ｅのそれぞれに、上記一次抗体溶液を１５μＬずつ注入する。尚、第３導入部２５ｅ〜３５ｅへの注入は、蓋３９に形成された穴４１（図２（ｂ）参照）を通して行う。注入された溶液は、ピラー部２５Ｌ〜３５Ｌによって第３導入部２５ｅ〜３５ｅの内部にとどまっている。
【００７８】
その後、検査対象受体３を１００〜３０００ｒｐｍの回転数（回転数Ｒ２）で、図２の方向から見て反時計回りに回転させる。すると、遠心力により、一次抗体液は、第３導入部２５ｅ〜３５ｅから流れだし、下流部２５ｃ〜３５ｃに入り、検査部２５ｈ〜３５ｈの中を流れ、液溜まり部２５ｆ〜３５ｆに至る。そして、液溜まり部２５ｆ〜３５ｆの外周側は、上述したように外部に連通しているので、一次抗体溶液は外部に排出される。その後、検査対象受体３の回転を停止する。
【００７９】
(ii)ブロッキング
各検査パターン構成部２５〜３５のそれぞれについて、検査部２５ｈ〜３５ｈにブロッキング溶液（５０ｍＭ  Ｔｒｉｓ、０．１４Ｍ  ＮａＣｌ  １％ＢＳＡ、ｐＨ８．０）１５μＬを流す。
【００８０】
具体的には、まず、検査対象受体３を１５０〜１５０００ｒｐｍの回転数（回転数Ｒ１）で回転させることにより、検査部２５ｈ〜３５ｈから、前記(i)の工程で流した一次抗体溶液を除く。次に、第３導入部２５ｅ〜３５ｅのそれぞれに、上記ブロッキング溶液を１５μＬずつ注入し、検査対象受体３を１００〜３０００ｒｐｍの回転数（回転数Ｒ２）で反時計回りに回転させる。すると、ブロッキング液は、前記(i)の工程における一次抗体溶液と同様に、第３導入部２５ｅ〜３５ｅから下流部２５ｃ〜３５ｃに入り、検査部２５ｈ〜３５ｈの中を流れ、液溜まり部２５ｆ〜３５ｆから外部に排出される。
【００８１】
ここまでの工程で、検査部２５ｈ〜３５ｈには一次抗体が固定される。その後、以下の洗浄工程を行う。洗浄工程では、まず、各検査パターン構成部２５〜３５に、洗浄液（５０ｍＭ  Ｔｒｉｓ、０．１４Ｍ  ＮａＣｌ、０．０５％  Ｔｗｅｅｎ２０、ｐＨ８．０、以下、洗浄液とする）を注入する。洗浄液を注入する場所は、第３導入部２５ｅ〜３５ｅで、注入は、それぞれに対応した穴４１（図２（ｂ）参照）を通して行う。
【００８２】
次に、検査対象受体３を１００〜３０００ｒｐｍの回転数（回転数Ｒ２）で回転させることにより、検査部２５ｈ〜３５ｈを洗浄液で満たした後、検査対象受体３を１５０〜１５０００ｒｐｍ（回転数Ｒ１）で回転させ、検査部２５ｈ〜３５ｈから洗浄液を除く。除かれた洗浄液は、液溜まり部２５ｆ〜３５ｆを経て外部に排出される。
【００８３】
(iii)検査対象の抗原−抗体反応による捕捉
ここでは、検査対象をトランスフェリンとする。トランスフェリンのトリス緩衝食塩水（５０ｍＭ  Ｔｒｉｓ、０．１４Ｍ  ＮａＣｌ、１％  ＢＳＡ、０．０５  Ｔｗｅｅｎ２０、ｐＨ８．０）で濃度を１２５ｎｇ／ｍｌに調製した溶液（以下、抗原溶液とする）１μＬずつ各検査パターン構成部２５〜３５に流す。
【００８４】
具体的には、各検査パターン構成部２５〜３５のそれぞれについて、導入部２５ａ〜３５ａに上記抗原溶液を１μＬずつ注入する。このとき、抗原溶液の注入は、導入部２５ａ〜３５ａに対応するように蓋３９に設けられた穴４１（図２（ｂ）参照）を通して行う。この穴４１は、導入部２５ａ〜２５ａにおいて、導入部２５ａ〜３５ａ内に入り込んだ保持部２５ｇ〜３５ｇよりも内周側に設けられている。そのため、抗原溶液は、導入部２５ａ〜３５ａのうち、保持部２５ｇ〜３５ｇよりも内周側に供給される。
【００８５】
供給された抗原溶液は、保持部２５ｇ〜３５ｇの内部に毛細管現象により広がる。このとき、保持部２５ｇ〜３５ｇの中に広がる抗原溶液の量は、保持部２５ｇ〜３５ｇを構成する多数の突起の隙間の体積に等しくなる。次に、検査対象受体３を１００〜３０００ｒｐｍ（回転数Ｒ２）の回転数で回転させると、保持部２５ｇ〜３５ｇに保持されていた抗原溶液は、下流部２５ｃ〜３５ｃに入り、検査部２５ｈ〜３５ｈの中を進み、その外周端まで至る。その後、検査対象受体３の回転を停止する。
【００８６】
このとき、検査パターン構成部２５では、保持部２５ｇのうち、計量部２５ｇ２に保持されたものだけが検査部２５ｈに流れ、誘導部２５ｇ１に保持されたものは、そのまま残る。これは、誘導部２５ｇ１がある上流部２５ｂは本体部３７の周方向に沿っているので、検査対象受体３を回転させても、検査パターン構成部に沿って検査対象を流そうとする力が働かないためである。検査パターン構成部２７、３３も同様である。それに対し、検査パターン構成部２９、３１、３５では、保持部２９ｇ、３１ｇ、３５ｇに保持された検査対象は、全て検査部２９ｈ、３１ｈ、３５ｈに送られる。また、導入部２５ａ〜３５ａに注入された抗原溶液のうち、保持部２５ｇ〜３５ｇに保持されず、導入部２５ａ〜３５ａに残ったものは、検査対象受体３を回転させたとき、導入部２５ａ〜３５ａのうち、保持部２５ｇ〜３５ｇよりも外周側に運ばれ、ピラー部２５ｉ〜３５ｉに捕捉されるので、検査部２５ｈ〜３５ｈには流入しない。従って、検査部２５ｈ〜３５ｈに流入する抗原溶液は、保持部２５ｇ〜３５ａに保持されていた、一定量だけである。
【００８７】
この工程により、検査部２５ｈ〜３５ｈに固定されていた抗体が、トランスフェリンを捕捉する。その後、前記(ii)と同様の洗浄液を用い、以下の工程により、検査部２５ｈ〜３５ｈを洗浄する。洗浄液を注入する場所は、検査パターン構成部２５では第２導入部２５ｄ、検査パターン構成部２７では第２導入部２７ｄ、検査パターン構成部２９では第３導入部２９ｅ、検査パターン構成部３１では第２導入部３１ｄ、検査パターン構成部３３では第２導入部３３ｄ、検査パターン構成部３５では第３導入部３５ｅである。洗浄液の注入は、それぞれに対応した穴４１（図２（ｂ）参照）を通して行う。
【００８８】
(iv)標識された抗体の結合
各検査パターン構成部２５〜３５のそれぞれについて、検査部２５ｈ〜３５ｈに、ＨＲＰ標識されたＧｏａｔ由来のトランスフェリン抗体をトリス緩衝食塩水（５０ｍＭ  Ｔｒｉｓ、０．１４Ｍ  ＮａＣｌ、１％ＢＳＡ、０．０５Ｔｗｅｅｎ２０、ｐＨ８．０）で濃度１０ｎｇ／ｍｌに調製した溶液（以下、二次抗体溶液）を１０μＬずつ流す。
【００８９】
具体的には、各検査パターン構成部２５〜３５の第３導入部２５ｅ〜３５ｅのそれぞれに、上記二次抗体溶液を１０μＬずつ注入し、検査対象受体３を１００〜３０００ｒｐｍの回転数（回転数Ｒ２）で反時計回りに回転させる。すると、遠心力により、二次抗体液は、第３導入部２５ｅ〜３５ｅから下流部２５ｃ〜３５ｃに入り、検査部２５ｈ〜３５ｈの中を流れ、その外周端まで至る。
【００９０】
この工程により、前記(iii)で捕捉されたトランスフェリンに、Ｇｏａｔ由来のトランスフェリン抗体が結合する。その後、前記(iii)と同様の洗浄工程により、検査部２５ｈ〜３５ｈを洗浄する。
【００９１】
(v)検査対象の定量
各検査パターン構成部２５〜３５のそれぞれについて、検査部２５ｈ〜３５ｈに、基質溶液としての、ＡＢＴＳのリン酸−クエン酸溶液（０．０５Ｍ  リン酸ナトリウム、０．０５Ｍ  クエン酸）と過酸化水素水（以下、発色溶液とする）を流し、検査対象であるトランスフェリンを発色させる。
【００９２】
具体的には、各検査パターン構成部２５〜３５の第３導入部２５ｅ〜３５ｅのそれぞれに、上記発色溶液を注入し、検査対象受体３を１００〜３０００ｒｐｍの回転数（回転数Ｒ２）で反時計回りに回転させる。すると、遠心力により、発色溶液は、第３導入部２５ｅ〜３５ｅから下流部２５ｃ〜３５ｃに入り、検査部２５ｈ〜３５ｈの中を流れ、その外周端まで至る。その後、検査対象受体３を蛍光アナライザーにかけ、その画像をスキャナーで取り込み、暗度解析ソフトにより発色の度合いを数値化する。
【００９３】
(vi)測定結果の解析
前記(i)〜(v)の手順による測定を１０回行い、発色の度合い（輝度）をそれぞれ測定した。表１に、１０回の測定それぞれの輝度の値を示す。また、表１には、１０回の測定値の平均値、標準偏差、および変動係数（標準偏差を平均値で割った値）を示す。
【００９４】
【表１】
2006208183.tif 000003
【００９５】
比較例として、基本的には前記(i)〜(v)と同様の工程であるが、前記(iii)の工程において、抗原溶液を導入部２５ａ〜３５ａに注入するのではなく、マイクロピペットで採取した抗原溶液１μＬを第３導入部２５ｅ〜３５ｅに注入し、そこから検査部２５ｈ〜３５ｈに直接流し込む方法でも測定を行った。この比較例では、検査部２５ｈ〜３５ｈに流れる抗原溶液の量は、保持部２５ｇ〜３５ｇに保持される量ではなく、マイクロピペットで計り取られた量となる。
【００９６】
この比較例の方法でも、１０回測定を行い、その平均値、標準偏差、および変動係数を上記表１に示す。
表１に示すように、本実施例１の方法では、変動係数が０．０２７と非常に小さかった。これは、保持部２５ｇ〜３５ｇに一旦保持された抗原溶液のみを検査部２５ｈ〜３５ｈに導入するため、検査部２５ｈ〜３５ｈに導入される抗原溶液の量が正確に一定量となるためである。それに対し、比較例では、変動係数が０．０８７となり、本実施例１の値よりも３倍以上大きくなった。
【００９７】
この結果から、本実施例１の検査対象受体３を用いると、通常利用されるマイクロピペットでの計量に対し、計量ばらつきが１／３以下に抑えられ、すなわち、極めて再現性が良く、ばらつきのない安定した測定結果が得られることが確認できた。
【００９８】
ｃ）次に、本実施例１の検査対象受体が奏する効果を説明する。
(i)本実施例１の検査対象受体３において、検査パターン構成部２５〜３５に導入した液状の検査対象を保持部２５ｇ〜３５ｇに接触させると、毛細管現象により所定量の検査対象が保持部２５ｇ〜３５ｇの中に吸収される。その後、保持部２５ｇ〜３５ｇに吸収された検査対象に、検査対象受体３を回転させることにより生じる遠心力を作用させれば、保持部２５ｇ〜３５ｇに吸収された検査対象を取り出すことができる。
【００９９】
このとき、保持部２５ｇ〜３５ｇに一旦吸収される検査対象の量は、保持部２５ｇ〜３５ｇ保持部全体の体積から突起部の体積を差し引いたもの（つまり、突起間の隙間の体積）であるから一定の量となる。そのため、本実施例１の検査対象受体３を用いて上記のような操作を行えば、所定量の検査対象を計り取ることができる。尚、検査パターン構成部２５、２７、３３では、保持部のうち、下流部にある計量部に保持された検査対象のみが検査部に送られるが、この場合でも、検査部に送られる検査対象の量は一定となる。
【０１００】
また、本実施例１の検査対象受体３によれば、ｎＬ〜μＬオーダーの微細な量を精度良く計り取ることができる。
更に、本実施例１の検査対象受体３は、樹脂の射出成形法を用いれば一工程で作製できるので、微小バルブを別途作製し、高精度の組付けを行う必要がないので、製造が容易であり、量産性に富み、製造コストが低い。
【０１０１】
本実施例１の検査対象受体３では、上記のように計り取った検査対象に対し、検査パターン構成部２５〜３５の一部に設けた検査部２５ｈ〜３５ｈにおいて生物、化学反応による検査を行うことができる。
【０１０２】
(ii)本実施例１の検査対象受体３は、各検査パターン構成部２５〜３５のそれぞれに導入部２５ａ〜３５ａを備えているので、そこから検査対象を導入することができる。
また、本実施例１の検査対象受体３では、図４（ａ）に示すように、検査パターン構成部２５の導入部２５ａは、ピラー部２５ｉにより、ピラー部２５ｉより内周側であり、上流部２５ｂに連通する部分（甲領域）である２５ａ１と、ピラー部２５ｉより外周側であり、上流部２５ｂとはピラー部２５ｉにより隔てられた部分（乙領域）である２５ａ２とに区分されている。
【０１０３】
上述したように、導入部２５ａにおいて検査対象が供給されるのは、蓋３９に設けられた穴４１に対応する位置（図２（ａ）参照）であり、保持部２５ｇよりも内周側（２５ａ１の一部）であるので、供給された検査対象は、ピラー部２５ｉに妨げられず、上流部２５ｂ内の保持部２５ｇに吸収される。
【０１０４】
一方、保持部２５ｇが一定量の検査対象を吸収した後、２５ａ１内に残った検査対象は、検査対象受体３を回転させたとき、遠心力により、切り欠き部２５ｋを通り抜けて導入部２５ａの外周側に流れ、ピラー部２５ｉを乗り越え、２５ａ２に流れる。一旦２５ａ２に入った検査対象は、上流部２５ｂとの間をピラー部２５ｉの粘性抵抗により隔てられているので、２５ａ１の領域に戻りにくく、使用者の意図に反して上流部２５ｂに流れてしまうようなことがない。尚、ここでは検査パターン構成部２５を例に説明したが、他の検査パターン構成部２７〜３５でも同様である。
【０１０５】
尚、ピラー部２５ｉを設ける代わりに、導入部２５ａにおいてピラー部２５ｉに対応する領域の壁面を疎水性としてもよい。疎水性領域は検査対象を通過しにくくするので、上記と同様の作用効果を奏する。疎水性とするには、例えば、含フッ素化合物のコーティング等の処理を行えばよい。または、表面が疎水性である材料（例えば、フッ素樹脂等）により壁面を形成してもよい。
【０１０６】
(iii)本実施例１の検査対象受体３では、図４（ａ）に示すように、保持部２５ｇ〜３５ｇの一部が導入部２５ａ〜３５ａ内に張り出しているので、導入部２５ａ〜３５ａに供給した検査対象は、保持部２５ｇ〜３５ｇのうち張り出した部分から、保持部２５ｇ〜３５ｇに毛細管現象により吸収される。そのため、検査対象を容易に計り取ることができる。
【０１０７】
また、導入部２５ａ〜３５ａは、それらの中に張り出した保持部２５ｇ〜３５ｇにより、保持部２５ｇ〜３５ｇより内周側の領域（検査パターン構成部２５においては２５ａ１）と、外周側の領域（検査パターン構成部２５においては２５ａ２）とに分けられる。ただし、それら２つの領域は、保持部２５ｇ〜３５ｇと、導入部２５ａ〜３５ａにおける反対側の側面との隙間（検査パターン構成部２５においては切り欠き部２５ｋ（図４（ａ）参照））により連通している。
【０１０８】
このことにより、導入部２５ａ〜３５ａのうち、保持部２５ｇ〜３５ｇよりも内周側の領域に検査対象を導入し、その検査対象を保持部２５ｇ〜３５ｇに吸収させることができる。そして、保持部２５ｇ〜３５ｇに吸収されずに残った検査対象は、切り欠き部を通して、導入部のうちの外周側の領域に移動させることができる。この外周側の領域に入った検査対象に、遠心力を作用させて保持部２５ｇ〜３５ｇから遠ざけるようにすれば、余分な検査対象が保持部２５ｇ〜３５ｇに流れ込んでしまうようなことがない。
【０１０９】
(iv)本実施例１の検査対象受体３では、各検査パターン構成部２５〜３５に、突起部を複数配置してなる検査部２５ｈ〜３５ｈを有する。このことにより、保持部２５ｇ〜３５ｇを用いて所定量を計り取った検査対象を検査部２５ｈ〜３５ｈに移動させ、生物、化学的反応による検査を行うことができる。検査部２５ｈ〜３５ｈは突起部を複数配置してなるので表面積が大きく、検出感度を高めることができる。
（ｖ）本実施例１の検査対象受体３では、各検査パターン構成部２５〜３５において、第３導入部２５ｅ〜３５ｅを備えている。これら第３導入部２５ｅ〜３５ｅは、保持部２５ｇ〜３５ｇよりも、検査対象の流れ方向における下流（つまり、検査対象受体３において保持部２５ｇ〜３５ｇよりも外周側）にて、下流部２５ｃ〜３５ｃに繋がっている。そのため、精密な計量の必要がない試薬等は、第３導入部２５ｅ〜３５ｅから、保持部２５ｇ〜３５ｇを経ずに、検査部２５ｈ〜３５ｈに導入することができるので、保持部２５ｇ〜３５ｇで計量を行う前に、保持部２５ｇ〜３５ｇを濡らして、精密な計量を阻害する恐れがなくなる。
【０１１０】
また、図２（ａ）及び図９（ｃ）に示すように、第３導入部２５ｅ〜３５ｅの出口付近に、ピラー部２５Ｌ〜３５Ｌが設けられているので、第３導入部２５ｅ〜３５ｅに供給した試薬が、第３導入部２５ｅ〜３５ｅ内に留まり、使用者の意図に反して他の流路に流れ込んでしまうようなことがない。
【０１１１】
(vi)本実施例１の検査対象受体３では、検査パターン構成部２５、２７、３３の液溜まり部２５ｆ、２７ｆ、３３ｆに、複数の突起部を配置して成るピラー部２５ｊ、２７ｊ、３３ｊを備えている。そのため、それらピラー部２５ｊ、２７ｊ、３３ｊよりも下流側からの、検査対象、試薬、洗浄液などの逆流を防止することができる。
【０１１２】
尚、ピラー部２５ｊ、２７ｊ、３３ｊを設ける代わりに、液溜まり部２５ｆ等においてピラー部２５ｊ等に対応する領域の壁面を疎水性としてもよい。疎水性領域は検査対象を通過しにくくするので、上記と同様の作用効果を奏する。
【０１１３】
(vii)本実施例１の検査対象受体３において、検査パターン構成部２５では、図７（ｂ）に示すように、上流部２５ｂと、動径方向に設けられた下流部２５ｃとが直角をなすように接続されており、上流部２５ｂは検査対象受体３の動径方向と直交している。そのため、保持部２５に保持された検査対象に、検査対象受体３の動径方向への遠心力をかけても、保持部２５ｇの一部である誘導部２５ｇ１に保持された検査対象には、上流部２５ｂに沿って流れようとする駆動力はかからない。そのため、保持部２５ｇの一部である、計量部２５ｇ２に保持された検査対象のみを、検査部２５ｈに再現性よく移動させることができる。この場合、保持部２５ｇの一部である、計量部２５ｇ２に保持されていた検査対象を送り出した後も、誘導部２５ｇ１には検査対象が残っているので、再度、検査対象を保持部２５ｇから検査部２５ｈに送り出すときには、検査対象の追加量が少なくて済み、検査対象の少量化が可能となる。検査パターン構成部２７、３３も同様である。
【０１１４】
また、検査パターン構成部２９では、上流部２９ｂと、下流部２９ｃとが１８０°をなすように接続されている。この様に、９０°Ｃ以上の鈍角にした図として、図７（ｃ）、図９（ａ）を示す。図９（ａ）は、下流部２９ｃから上流部２９ｂが分岐する部分の拡大写真である。
【０１１５】
上流部２９ｂは検査対象受体３の略径方向に沿っているので、検査対象受体３を回転させると、保持部２９ｇに保持された検査対象全体に、検査部２９ｈの方に向かう遠心力がかかる。その結果、保持部２９ｇのうち、下流部２９ｃ側にある検査対象と、上流部２９ｂ側にある検査対象とを、検査部２９ｈに再現性よく移動させることができる。これは特に、検査部２９ｈへ移動させる検査対象の量を多くする必要があるときに有効である。検査パターン構成部３７も同様である。
【０１１６】
尚、図７（ａ）及び図９（ｂ）に示すように、上流部２５ｂと、下流部２５ｃとを鋭角をなすように接続してもよい。尚、図９（ｂ）は、下流部２９ｃから上流部２９ｂが分岐する部分の拡大写真である。
【０１１７】
この場合、保持部２５ｇの一部である計量部２５ｇ２に保持された検査対象に対し、検査部２５ｈへ向かうように遠心力をかけると、保持部２５ｇの一部である誘導部２５ｇ１に保持された検査対象には、検査部２５ｈから遠ざかる方向への遠心力がかかるようになる。
【０１１８】
こうすることにより、保持部２５ｇの一部である、計量部２５ｇ２に保持された検査対象のみを、検査部２５ｈに再現性よく移動させるとともに、保持部２５ｇの一部である誘導部２５ｇ１に保持された検査対象が検査部２５ｈに流れ込むことを防止できる。つまり、検査部２５ｈには、保持部２５ｇの一部である計量部２５ｇ２に保持された検査対象のみを移動させることができる。
【０１１９】
この場合、誘導部２５ｇ１に保持された検査対象が検査部２５ｈに流れることを防止できるので、上流部２５ｂに導入部２５ａを兼ねさせても、導入部２５ａから検査部２５ｈに検査対象が不本意に流れてしまうようなことがない。よって、上流部２５ｂに導入部２５ａを兼ねさせ、省スペース可することが可能である。
【０１２０】
(viii)本実施例１の検査対象受体３では、保持部２５ｇ〜３５ｇと、検査部２５ｈ〜３５ｈとの間に、突起部を設けない中間部（検査パターン構成部２５においては２５Ｎ）を有するので、保持部２５ｇ〜３５ｇに保持された検査対象が、使用者の意図に反して検査部２５ｈ〜３５ｈに流れてしまうようなことがない。尚、検査対象受体３を回転させ、十分な遠心力を加えれば、保持部２５ｇに保持された検査対象を中間部２５Ｎを経て検査部２５ｈに流すことができる。
（ix)本実施例１の検査対象受体３では、保持部２５ｇ〜３５ｇを構成する突起の形状が円柱形状であるので、検査対象をスムーズに流すことができる。また、保持部２５ｇ〜３５ｇは親水性処理を施されているので、検査対象をスムーズに吸収することができる。
【０１２１】
(x)本実施例１の検査対象受体３では、第３導入部２５ｅのうち、下流部２５ｃと接続する出口付近に、ピラー部２５Ｌが設けられているので、第３導入部２５ｅに供給した試薬が、使用者の意図に反して下流部２５ｃに流れ込んでしまうようなことがない。また、第２導入部２５ｄのうち、下流部２５ｃと接続する出口付近に、ピラー部２５Ｍが設けられているので、第２導入部２５ｄに供給した試薬が、使用者の意図に反して下流部２５ｃに流れ込んでしまうようなことがない。
【０１２２】
(xi)本実施例１の検査対象受体３では、図９（ｄ）のように、本体部３７の外周にゆくほど、検査部２５ｈ〜３５ｈを構成する突起の間隔が狭くなっており、検査部２５ｈ〜３５ｈを流れる検査対象や試薬の流動抵抗が大きくなっている。検査部２５ｈ〜３５ｈを流れる検査対象や試薬にかかる遠心力は、本体部３７の外周にゆくほど大きくなるが、それに応じて流動抵抗も外周にゆくほど大きくなるので、検査対象や試薬が、検査部２５ｈ〜３５ｈ内を一定の速度で流れることができ、外周で速く流れすぎてしまうようなことがない。そのため、検査部２５ｈ〜３５ｈにおいて、検査対象や試薬の吸着や反応を一定の速度で行うことができる。
【実施例２】
【０１２３】
本実施例２の検査対象受体３の構成は基本的には前記実施例１と同様であるが、保持部の構成において一部相違する。ここでは、検査パターン構成部２５を例にとって、その相違点を説明するが、他の検査パターン構成部２７〜３５でも同様である。
【０１２４】
図８（ａ）に示すように、保持部２５ｇの一部である計量部２５ｇ２は、検査部２５ｈに近い側の部分である２５ｇ２Ｂと、その他の部分である２５ｇ２Ａとに分かれる。２５ｇ２Ｂの部分は、２５ｇ２Ａに比べて、突起間隔が小さくなっており、２５ｇ２Ａに比べて、検査対象の粘性抵抗が大きくなる為流れにくくなる。そのため、本実施例２では、保持部２５ｇに保持された検査対象が、使用者の意図に反して検査部２５ｈに流れてしまうようなことがない。
【０１２５】
また、本実施例２では、計量部２５ｇ２のうち、２５ｇ２Ｂの部分の突起間隔を小さくすることの代わりに、またはそれに加えて、２５ｇ２Ｂの部分にある突起を、２５ｇ２Ａの部分にある突起よりも疎水性としてもよい。こうすれば、疎水性の部分は、検査対象が比較的流れにくいので、保持部２５ｇに保持された検査対象が、使用者の意図に反して検査部２５ｈに流れてしまうようなことがない。突起を疎水性とするには、例えば、含フッ素化合物のコーティング等の処理を行えばよい。または、表面が疎水性である材料（例えば、フッ素樹脂等）により突起を形成してもよい。
【実施例３】
【０１２６】
本実施例３の検査対象受体３の構成は基本的には前記実施例１と同様であるが、保持部および検査部の構成において一部相違する。ここでは、検査パターン構成部２５を例にとって、その相違点を説明するが、他の検査パターン構成部２７〜３５でも同様である。
【０１２７】
図８（ｂ）に示すように、保持部２５の一部である計量部２５ｇ２は、検査部２５ｈに近い側であって、検査パターン構成部２５の側壁近傍の部分２５ｇ２Ｄと、その他の部分である２５ｇ２Ｃとに区分される。２５ｇ２Ｄの部分は、図９（ａ）及び図９（ｂ）に示すように、２５ｇ２Ｃの部分に比べて、突起間隔が小さくなっており、２５ｇ２Ｃの部分よりも、検査対象が比較的流れにくい。ここで、図９（ａ）、図９（ｂ）は保持部２５ｂ付近の拡大写真であり、縦に伸びる検査パターン構成部が下流部２５ｃ、斜め左側に伸びる検査パターン構成部が上流部２５ｂである。そして、円筒形の突起が並ぶ保持部２５ｇのうち、下側且つ左右両側にある三角形の領域が、突起間隔が小さい２５ｇ２Ｄである。尚、図９（ａ）、図９（ｂ）では、下流部２５ｃと上流部２５ｂとが成す角度が、それぞれ鈍角、鋭角であるが、その角度が直角であってもよい。
【０１２８】
保持部２５を上記のような構成にすることにより、検査対象が保持部２５ｇを通過するときは、２５ｇ２Ｄ以外の部分（すなわち、検査パターン構成部２５における中心付近）を流れるようになる。そして、保持部２５ｇから出た検査対象は、検査パターン構成部２５の中心を通り、検査部２５ｈの中心に入る。このことにより、検査部２５ｈの側壁付近だけを検査対象が流れてしまい、十分に検査部２５ｈに吸着されなくなるようなことがない。
【０１２９】
また、本実施例３では、図８（ｂ）に示すように、検査部２５ｈは、検査パターン構成部２５の側壁近傍にある周辺部２５ｈ１と、その他の部分（つまり、検査パターン構成部２５における中心付近にある部分）２５ｈ２とに区分される。そして、周辺部２５ｈ１では、２５ｈ２の部分よりも、突起間隔が小さくなっており、検査対象が比較的流れにくい。そのため、検査対象が検査部２５ｈを通過するときは、その中心にある２５ｈ２の部分を流れるようになる。このことにより、検査部２５ｈの側壁付近だけを検査対象が流れてしまい、十分に検査部２５ｈに吸着されなくなるようなことがない。
【０１３０】
尚、本実施例３では、保持部２５ｇのうち、２５ｇ２Ｄの部分の突起間隔を小さくすることの代わりに、またはそれに加えて、２５ｇ２Ｄの部分にある突起を、２５ｇ２Ｃの部分にある突起よりも疎水性としてもよい。疎水性の部分は、検査対象が比較的流れにくいので、２５ｇ２Ｄの部分の突起間隔を小さくする場合と同様の作用効果を奏する。
【０１３１】
また、検査部２５ｈのうち、２５ｈ１の部分の突起間隔を小さくすることの代わりに、またはそれに加えて、２５ｈ１の部分にある突起を、２５ｈ２の部分にある突起よりも疎水性としてもよい。疎水性の部分は、検査対象が比較的流れにくいので、２５ｈ１の部分の突起間隔を小さくする場合と同様の作用効果を奏する。
【０１３２】
突起を疎水性とするには、例えば、含フッ素化合物のコーティング等の処理を行えばよい。または、表面が疎水性である材料（例えば、フッ素樹脂等）により突起を形成してもよい。
【０１３３】
尚、本発明は前記実施例になんら限定されるものではなく、本発明を逸脱しない範囲において種々の態様で実施しうることはいうまでもない。
前記実施例１〜３の検査パターン構成部２５〜３５において、導入部２５ａ〜３５ａと保持部２５ｇ〜３５ｇとの間に、別の突起を複数配列して成る異物除去部を形成してもよい。こうすることにより、導入部２５ａ〜３５ａに導入した検査対象が異物を含んでいたとしても、異物除去部によりその異物を除くことができるので、異物が保持部２５ｇ〜３５ｇに入り込んでしまうようなことがない。
【０１３４】
また、前記実施例１〜３の検査対象受体３は、分取装置として用いることができる。つまり、導入部２５ａ〜３５ａに供給した液状の対象物を保持部２５ｇ〜３５ｇに接触させると、毛細管現象により所定量の対象物が保持部２５ｇ〜３５ｇの中に吸収される。その後、保持部２５ｇ〜３５ｇに吸収された対象物に遠心力を作用させれば、保持部２５ｇ〜３５ｇに吸収された対象物を取り出すことができる。
【０１３５】
このとき、保持部２５ｇ〜３５ｇに一旦吸収され、その後取り出される対象物の量は保持部２５ｇ〜３５ｇ全体の体積から突起部の体積を差し引いたものであるから一定の量となる。そのため、この分取装置を用いて上記のような操作を行えば、所定量の対象物を計り取ることができる。また、この分取装置を用いれば、ｎＬ〜μＬオーダーの微細な量を精度良く計り取ることができる。
【０１３６】
尚、分取装置として用いる場合は、検査部２５ｈ〜３５ｈ、第２導入部２５ｄ、２７ｄ、３１ｄ、３３ｄ、第３導入部２５ｅ、２７ｅ、２９ｅ、３１ｅ、３３ｅ、３５ｅなどは無くてもよい。
【０１３７】
前記実施例１〜３において、検査対象や試薬を駆動する力は、遠心力には限定されず、例えば、検査対象受体３に高低差を付けることにより検査パターン構成部２５〜３５に沿って生じる重力、検査パターン構成部２５〜３５にガス流を吹き付けることによる駆動力等も用いることができる。
【図面の簡単な説明】
【０１３８】
【図１】検査装置１の回転部分の構成を表す側面図である。
【図２】（ａ）は検査対象受体３における本体部３７の構成を表す平面図であり、（ｂ）は検査対象受体３における蓋３９の構成を表す平面図である。
【図３】（ａ）は図２（ａ）におけるＸ−Ｘ断面での断面図であり、（ｂ）は図４におけるＹ−Ｙ断面での断面図である。
【図４】検査パターン構成部２５を表す平面図である。
【図５】（ａ）、（ｂ）は保持部２５ｇを上方から見たときの拡大写真である。
【図６】検査対象受体３を構成する本体部３７および蓋３９を組み付けた状態を表す断面図であり、（ａ）は検査パターン構成部２５に突起のない位置を表し、（ｂ）は保持部２５ｇの突起がある位置を表す。
【図７】上流部２５ｂと下流部２５ｃとのなす角度を表す説明図であり、（ａ）は鋭角の場合、（ｂ）は直角の場合、（ｃ）は鈍角の場合である。
【図８】（ａ）は保持部２５ｇの構成を表す説明図であり、（ｂ）は保持部２５ｇおよび検査部２５ｈの構成を表す説明図である。
【図９】（ａ）、（ｂ）は保持部２５ｇを上方から見たときの拡大写真であり、（ｃ）は第３導入部２５ｅの出口付近を上方から見たときの拡大写真であり、（ｄ）は検査部２５ｈを上方から見たときの拡大写真である。
【符号の説明】
【０１３９】
１・・・検査装置
３・・・検査対象受体
５・・・回転部
７・・・本体部
１５・・・チャック部
１７・・・回転軸
１９・・・回転モーター
２１・・・軸受け
２５、２７、２９、３１、３３、３５・・・検査パターン構成部
２５ａ、２７ａ、２９ａ、３１ａ、３３ａ、３５ａ・・・導入部
２５ｂ、２７ｂ、２９ｂ、３１ｂ、３３ｂ、３５ｂ・・・上流部
２５ｃ、２７ｃ、２９ｃ、３１ｃ、３３ｃ、３５ｃ・・・下流部
２５ｄ、２７ｄ、３１ｄ、３３ｄ・・・第２導入部
２５ｅ、２７ｅ、２９ｅ、３１ｅ、３３ｅ、３５ｅ・・・第３導入部
２５ｆ、２７ｆ、２９ｆ、３１ｆ、３３ｆ、３５ｆ・・・液溜まり部
２５ｇ、２７ｇ、２９ｇ、３１ｇ、３３ｇ、３５ｇ・・・保持部
２５ｇ１・・・誘導部
２５ｇ２・・・計量部
２５ｈ、２７ｈ、２９ｈ、３１ｈ、３３ｈ、３５ｈ・・・検査部
２５ｉ、２７ｉ、２９ｉ、３１ｉ、３３ｉ、３５ｉ・・・ピラー部
２５ｊ、２７ｊ、２９ｊ、３１ｊ、３３ｊ、３５ｊ・・・ピラー部
２５Ｋ・・・切り欠き部
３７・・・本体部
３９・・・蓋
【図１】
2006208183.tif 000004
【図２】
2006208183.tif 000005
【図３】
2006208183.tif 000006
【図４】
2006208183.tif 000007
【図６】
2006208183.tif 000008
【図７】
2006208183.tif 000009
【図８】
2006208183.tif 000010
【図５】
2006208183.tif 000011
【図９】
2006208183.tif 000012